(57)【要約】【課題】カードを有効化及び無効化する時間を短縮する情報処理システムを提供すること。【解決手段】管理装置４のプログラム２２が、インターネット６を介して携帯電話からカードの有効又は無効の書き換え要求が入力されたとき、テーブル２４を検索してカードの状態情報を書き換え要求に基づいて書き換えるように構成されてなる情報処理システム１。【選択図】図１
2010026942.tif 000002
【特許請求の範囲】
【請求項１】
演算処理装置と、記憶装置と、ネットワークを介して複数の携帯情報端末と通信可能な通信装置と、これらの装置に接続されたバスと、前記記憶装置に格納された前記演算処理装置を動作させるプログラムとを備えてなる管理装置と、前記ネットワークを介して前記管理装置と通信可能でありＲＦＩＤ読み取り装置を有する少なくとも１つの端末とを備え、該端末は、読み取ったＲＦＩＤの識別情報を前記管理装置に送信し、前記ＲＦＩＤが有効であるときに予め設定されたプログラムを実行するように構成され、前記記憶装置は、前記ＲＦＩＤが有効か無効かを示す状態情報が格納されるテーブルを備えてなる情報処理システムにおいて、
前記管理装置のプログラムは、前記ネットワークを介して前記携帯情報端末から前記ＲＦＩＤの有効又は無効の書き換え要求が入力されたとき、前記テーブルを検索して当該ＲＦＩＤの前記状態情報を前記書き換え要求に基づいて書き換えるように構成されてなることを特徴とする情報処理システム。
【請求項２】
請求項１の情報処理システムにおいて、
前記端末は入室管理装置であり、該入室管理装置は前記予め設定されたプログラムに基づいてドアを開閉するものであり、前記テーブルには、前記ＲＦＩＤに対応付けて少なくとも１つの前記入室管理装置の識別情報が格納されてなることを特徴とする情報処理システム。
【請求項３】
請求項１又は２に記載の情報処理システムにおいて、
前記テーブルには、前記ＲＦＩＤに対応付けて前記携帯情報端末の識別情報が格納され、前記管理装置のプログラムは、前記ネットワークを介して前記携帯情報端末から前記携帯情報端末の識別情報が入力されたとき、前記テーブルを検索して当該識別情報と一致する前記携帯情報端末の識別情報があれば、前記書き換え要求を取り込むことを特徴とする情報処理システム。
【請求項４】
請求項１乃至３のいずれか１項に記載の情報処理システムにおいて、
前記携帯情報端末に替えて、情報処理端末にしたことを特徴とする情報処理システム。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）技術を利用した情報処理システムに関する。
【背景技術】
【０００２】
マンション等の入室を管理するシステムにおいて、ＲＦＩＤが組み込まれたカード（以下、単にカードと言う）が入室の鍵として利用されている。例えば、特許文献１では、居室の入口に設置されている読み取り装置でカードを読み取り、予めシステムに登録しておいたカード情報と比較する。比較した結果、カード情報が一致すれば、入室やその他の目的とするシステムの操作を許可する。
【０００３】
【特許文献１】特開２００４−２６５１５８
【発明の開示】
【発明が解決しようとする課題】
【０００４】
ところで、カードの普及に伴ってカードの紛失等の発生が多くなってきている。カードを紛失した場合はカードを無効化する必要があり、一般にはカード所有者が、システム管理センターに電話連絡をし、システム管理者がカードの無効化を行う。しかし、システム管理者が不在の場合、カードの無効化が翌日になるなど時間がかかる場合がある。また、カード所有者が、カードを紛失したと勘違いして一端無効化し、その後訂正して再び有効化する場合はさらに時間がかかることになる。このように、従来は、カードの有効化及び無効化に時間がかかっていた。
【０００５】
本発明が解決しようとする課題は、カードを有効化及び無効化する時間を短縮する情報処理システムを提供することにある。
【課題を解決するための手段】
【０００６】
上記課題を解決するため、本発明の情報処理システムは、演算処理装置と、記憶装置と、ネットワークを介して複数の携帯情報端末と通信可能な通信装置と、これらの装置に接続されたバスと、記憶装置に格納された演算処理装置を動作させるプログラムとを備えてなる管理装置と、ネットワークを介して管理装置と通信可能でありＲＦＩＤ読み取り装置を有する少なくとも１つの端末とを備え、その端末は、読み取ったＲＦＩＤの識別情報を管理装置に送信し、ＲＦＩＤが有効であるときに予め設定されたプログラムを実行するように構成され、記憶装置は、ＲＦＩＤが有効か無効かを示す状態情報が格納されるテーブルを備えてなる情報処理システムにおいて、管理装置のプログラムは、ネットワークを介して携帯情報端末からＲＦＩＤの有効又は無効の書き換え要求が入力されたとき、テーブルを検索して当該ＲＦＩＤの状態情報を書き換え要求に基づいて書き換えるように構成されてなることを特徴とする。
【０００７】
本発明によれば、携帯情報端末、例えば携帯電話を利用して、カード所有者自身がカードの有効化又は無効化を行うことができる。すなわち、カードを紛失したとき、カード所有者が携帯電話により、管理装置にネットワークを介してアクセスし、ブラウザ上からカードの識別情報を入力し、そのカードの状態情報を無効に書き換え、その書き換え要求を管理装置に送信する。これにより、カード所有者がカードを紛失したと気付いたそのときにカードを無効化することができるので、無効化までの時間を短縮することができる。また、テーブルをそれぞれの端末に備え、書き換え要求があった場合は、管理装置のテーブルを書き換えるとともに、端末のテーブルを書き換えるように構成してもよい。これにより、ネットワークに異常発生し、管理装置と端末とが通信不可能になった場合でも、カードによって端末を動作させることができる。
【０００８】
この場合において、端末は入室管理装置であり、その入室管理装置は予め設定されたプログラムに基づいてドアを開閉するものであり、テーブルには、ＲＦＩＤに対応付けて少なくとも１つの入室管理装置の識別情報が格納されてなるように構成することもできる。
【０００９】
これにより、マンションなどの入室の鍵として利用されるカードについて、前述した方法で有効化又は無効化することができる。一般に、マンションに入居する際、マンション入居者に渡されるカードの数は決まっており、例えば入居者が二人であってもカードを５枚渡されることがある。よって、５枚のうち使わない３枚を無効化しておくことで安全性が向上する。また、来訪者があった場合、１枚を有効化して渡すことで利便性が向上する。カードの有効化又は無効化を迅速にできる本発明はこのような場合に有用である。
【００１０】
また、テーブルを、ＲＦＩＤに対応付けて携帯情報端末の識別情報が格納され、管理装置のプログラムは、ネットワークを介して携帯情報端末から携帯情報端末の識別情報が入力されたとき、テーブルを検索して当該識別情報と一致する携帯情報端末の識別情報があれば、書き換え要求を取り込むように構成することが望ましい。
【００１１】
これにより、カード所有者がインターネットを介して管理装置にアクセスするときに、携帯電話の識別情報、例えば電話番号を入力し、その番号が予め登録された番号と一致すればカードの状態情報を書き換えられるようにすることで個人識別を正確に行うことができるようになり、安全性が向上する。また、個人識別用のＩＤ、パスワードを設定することでさらに安全性が向上する。
【００１２】
また、携帯情報端末に替えて情報処理端末、例えばパソコンでカードの状態情報の書き換えを行ってもよい。
【発明の効果】
【００１３】
本発明によれば、カードを有効化及び無効化する時間を短縮する情報処理システムを提供できる。
【発明を実施するための最良の形態】
【００１４】
以下、本発明の情報処理システムの実施例を図面に基づいて説明する。
【実施例１】
【００１５】
図１は、情報処理システム１のの第１の実施例の構成図であり、図２（ａ）は、管理装置４の構成、図２（ｂ）は、テーブル２４を示す。本実施例では、情報処理システム１はマンションの入室管理システムであり、カード所有者はマンション入居者で、カードは居室に入室するための鍵として利用される。情報処理システム１は、管理センター２の管理装置４と、管理装置４とインターネット６を介して通信可能な入室管理装置８とを備えて構成されている。また、入室管理装置８と同様の機能を持ち、違う場所のドアを開閉する入室管理装置１０を備えている。
【００１６】
管理装置４は、図２（ａ）に示すように、演算処理装置１２と、記憶装置１４と、インターネット６を介して携帯電話１６及び入室管理装置８，１０と通信可能な通信装置１８と、これらの装置に接続されたバス２０と、記憶装置１４に格納された演算処理装置１２を動作させるプログラム２２とを備えて構成されている。また、記憶装置１４は、図２（ｂ）に示すように、カード所有者の携帯電話１６の電話番号と、認証ＩＤ及びパスワードと、カードの対象となる入室管理装置と、カード番号と、カードの状態情報とが対応付けて格納されたテーブル２４を備える。
【００１７】
入室管理装置８は、カードリーダ２５と、ドア開閉器２６と、データベース２７とを備えて構成されている。入室管理装置８は、カードリーダ２５でカードを読み取り、そのカード番号を管理装置４に送信し、管理装置４からそのカードが有効であるという情報が送信されえたとき、ドア開閉器２６を駆動してドアを開閉するように構成されている。なお、データベース２７は、テーブル２４と同じデータが格納されている。
【００１８】
このように構成される情報処理システム１の動作について、図３のフローチャート及び図４（ａ）のアクセス画面、図４（ｂ）の登録画面を参照して説明する。まず、カード所有者はマンション入居の際に、管理センター２からカード、管理センター２のホームページアドレス、管理センター２のホームページにアクセスするための認証ＩＤ、パスワードが送付される。また、テーブル２４には、前述した携帯電話１６の電話番号等が予め登録されている。
【００１９】
図３のフローチャートのステップ１において、カード紛失に気付いたカード所有者は、携帯電話１６を用いてインターネット６を介して管理センター２のホームページにアクセスする。管理装置４のプログラム２２は、アクセスに応じてインターネット６を介して携帯電話１６の表示画面に図４（ａ）のようなアクセス画面２８を表示する。カード所有者は、携帯電話１６の入力装置を用いて、アクセス画面２８に認証ＩＤ、電話番号、パスワードを入力し、決定ボタン２９を押下してそれらの識別情報を管理装置４に送信する。
【００２０】
ステップ２において、管理装置４のプログラム２２は、それらの識別情報に基づいてテーブル２４を検索し、一致する情報があれば認証完了とする。例えば、携帯電話１６から、認証ＩＤ「ｃｃｃ」、電話番号「２２２２」、パスワード「ｄｄｄ」が送信された場合、カード番号「５６５６５６」及び「７８７８７８」のカード所有者と認識できる。認証が完了したら、インターネット６を介して携帯電話１６の表示画面に図４（ｂ）のように、該当するカード情報と状態情報が表示された登録画面３０を表示する。
【００２１】
ステップ３において、カード所有者は、登録画面３０を見て無効を選択し、登録ボタン３１を押下してその登録情報を管理装置４に送信する。
【００２２】
ステップ４において、管理装置４のプログラム２２は、その登録情報に基づいてテーブル２４の該当する箇所の状態情報を書き換える。
【００２３】
また、ステップ５において、管理装置４のプログラム２２は、書き換えが発生した場合、インターネット６を介して書き換えたカードの状態情報を、カードの対象装置である入室管理装置８に送信する。入室管理装置８は、データベース２７の該当する箇所の状態情報を書き換える。例えば、図２（ｂ）の電話番号「３３３３」、認証ＩＤ「ｅｅｅｅ」、パスワード「ｆｆｆｆ」にて認証し、カード番号「６６６６」を無効化した場合、対象装置が入室管理装置８及び入室管理装置１０になるので、管理装置４のプログラム２２は、入室管理装置８及び入室管理装置１０にカード番号「６６６６」と無効化情報を転送する。入室管理装置８及び入室管理装置１０は無効化情報に基づいてそれぞれのデータベースを書き換える。
【００２４】
以上説明したように、本実施例によれば、携帯電話１６を利用して、カード所有者自身がカードの有効化又は無効化を行うことができる。すなわち、カードを紛失したとき、カード所有者が携帯電話１６により、管理装置４にインターネット６を介してアクセスし、登録画面３０からそのカードの状態情報を無効に書き換え、その書き換え要求を管理装置４に送信する。これにより、カード所有者がカードを紛失したと気付いたそのときにカードを無効化することができるので、無効化までの時間を短縮することができる。また、データベース２７をそれぞれの入室管理装置に備え、書き換え要求があった場合は、テーブル２４を書き換えるとともに、データベース２７を書き換えるように構成したので、異常が発生して管理装置４と入室管理装置８とが通信不可能になった場合でも、カードによって入室管理装置８を動作させることができる。また、テーブル２４のデータが失われても、データベース２７のデータを用いることで、テーブル２４のデータの再生が容易である。
【実施例２】
【００２５】
図５を参照して、本発明の情報処理システム１の第２の実施例について説明する。本実施例では、第１の実施例の管理センター２を介さず、入室管理装置８及び入室管理装置１０でカードの有効化、無効化を実施する。そのため、予め管理センター２で登録した情報を各入室管理装置に実装し、入室管理装置８及び入室管理装置１０は、テーブル２４内の対象となるデータのみを各データベースに有する。例えば、入室管理装置８のデータベース２７には、図２（ｂ）の対象装置欄の入室管理装置８に該当するデータが格納されている。その他の構成については、第１の実施例と同様である。本実施例によれば、管理センター２を介さずに、カードの有効化、無効化を実施できる。
【００２６】
以上、本実施例の情報処理システム１について説明したが、本発明は、これらの実施例に限らず適宜構成を変更して適用することができる。例えば、入室管理装置８にデータベース２７を備えたが、無くても構わない。また、アクセス画面２８に入力するのは、携帯電話１６のシリアル番号等でもよい。
【００２７】
また、本発明は鍵としてのカードに限らず、金融機関のキャッシュカード、クレジットカードの場合にも適用できる。例えば、管理装置４を金融機関のカード管理装置とし、入室管理装置８をＡＴＭ（Ａｕｔｏｍａｔｉｃ  Ｔｅｌｌｅｒ  Ｍａｃｈｉｎｅ）とすることができる。
【図面の簡単な説明】
【００２８】
【図１】第１の実施例の情報処理システムの構成図である。
【図２】（ａ）は管理装置の構成図であり、（ｂ）はテーブル２４である。
【図３】カードの状態情報を書き換えるフローチャートである。
【図４】（ａ）はアクセス画面であり、（ｂ）は登録画面である。
【図５】第２の実施例の情報処理システムの構成図である。
【符号の説明】
【００２９】
１  情報処理システム
２  管理センター
４  管理装置
６  インターネット
８，１０  入室管理装置
２４  テーブル
２７  データベース
【図１】
2010026942.tif 000003
【図２】
2010026942.tif 000004
【図３】
2010026942.tif 000005
【図４】
2010026942.tif 000006
【図５】
2010026942.tif 000007